(57)【要約】【課題】消費電力を抑えることができ、しかも待ち受け後の処理時間を減らすことのできる携帯電話の制御装置及び制御方法を提供する。【解決手段】携帯電話の制御装置は、メインクロックを発生するメインクロック発生器１１によって発生されたメインクロックによって動作するメインカウンタ１４を備え、処理装置１０、１３は、待ち受け状態に入る前にメインクロック発生器からのメインクロックの発生を停止させることによりメインカウンタの動作を停止させ、待ち受け状態から出る時にメインカウンタの動作が停止されなかったように該メインカウンタの内容を変更する。【選択図】    図１
2005045832.tif 000002
【特許請求の範囲】
【請求項１】
第１のクロックを発生する第１クロック発生器と、前記第１のクロックと周期の異なる第２のクロックを発生する第２クロック発生器と、前記第１のクロックを受けて動作する第１カウンタと、前記第２のクロックを受けて動作する第２カウンタとを有し、前記第１カウンタの停止及び再開は、前記第２カウンタからの制御信号に応答して行われることを特徴とする携帯電話の制御装置。
【請求項２】
請求項１において、前記第１カウンタのカウンタ動作が停止している期間に前記第２のカウンタがカウンタ動作を行うことを特徴とする携帯電話の制御装置。
【請求項３】
請求項１乃至２において、更に処理装置を有し、前記処理装置は、前記第１カウンタの停止期間の前記第２カウンタのカウンタ値と、前記第１カウンタの停止時点のカウンタ値とに基づき、前記第１カウンタの再開時点のカウンタ値を設定することを特徴とする携帯電話の制御装置。
【請求項４】
請求項１乃至３において、前記第２カウンタから前記第１クロックの発生信号を受けて、前記第１クロックの発生が再開することを特徴とする携帯電話の制御装置。
【請求項５】
請求項１乃至４において、前記第１カウンタのカウント動作が停止後に前記第１クロックの発生が停止し、前記第１クロックの発生開始後に前記第１カウンタのカウント動作が開始されることを特徴とする携帯電話の制御装置。
【請求項６】
第１のクロックを発生する第１クロック発生器と、前記第１のクロックと周期の異なる第２のクロックを発生する第２クロック発生器と、前記第１のクロックを受けて動作する第１カウンタと、前記第２のクロックを受けて動作する第２カウンタとを有し、前記第１カウンタの停止及び再開は、前記第２カウンタからの制御信号に応答して行われることを特徴とする携帯電話の制御回路。
【請求項７】
請求項６において、前記第１カウンタのカウンタ動作が停止している期間に前記第２のカウンタがカウンタ動作を行うことを特徴とする携帯電話の制御回路。
【請求項８】
請求項６乃至７において、更に処理装置を有し、前記処理装置は、前記第１カウンタの停止期間の前記第２カウンタのカウンタ値と、前記第１カウンタの停止時点のカウンタ値とに基づき、前記第１カウンタの再開時点のカウンタ値を設定することを特徴とする携帯電話の制御回路。
【請求項９】
請求項６乃至８において、前記第２カウンタから前記第１クロックの発生信号を受けて、前記第１クロックの発生が再開することを特徴とする携帯電話の制御回路。
【請求項１０】
請求項６乃至９において、前記第１カウンタのカウント動作が停止後に前記第１クロックの発生が停止し、前記第１クロックの発生開始後に前記第１カウンタのカウント動作が開始されることを特徴とする携帯電話の制御回路。      
【請求項１１】
請求項１乃至１０において、前記第二のクロックは、前記第一のクロックより周期の大きな待ち受けクロックであることを特徴とする制御装置または制御回路を有する携帯電話。
【発明の詳細な説明】
【技術分野】
【０００１】
本発明は携帯電話の制御装置及び制御方法に関し、特に携帯電話の待ち受け動作時の電力消費を抑える技術に関する。
【背景技術】
【０００２】
従来、携帯電話が実用に供されている。この携帯電話の動作には、通話や通信といった通常動作の他に、待ち受け動作という携帯電話に特有の動作が含まれる。この待ち受け動作中は、携帯電話の実質的な機能は発揮されない。そこで、この待ち受け動作中は、制御装置が停止したのと同様に動作させることにより電池の消耗を防ぐことが行われている。
【０００３】
以下、従来の携帯電話に採用されている制御装置を図５に示したブロック図を参照しながら説明する。この制御装置は、中央処理装置（以下、「ＣＰＵ」という）１０、メインクロック発生器１１、待ち受けクロック発生器１２、待ち受けタイマ１３及びメインカウンタ１４から構成されている。 
メインクロック発生器１１は、この制御装置を動作させるためのメインクロックを発生してＣＰＵ１０及びメインカウンタ１４に供給する。ＣＰＵ１０は、メインクロックに従って動作することにより携帯電話の制御装置の全体を制御する。メインカウンタ１４は、メインクロックに従ってカウントアップ動作を行う。ＣＰＵ１０は、このメインカウンタ１４の内容に従って基地局との間の通信を制御する。
【０００４】
待ち受けクロック発生器１２は、待ち受けクロックを発生して待ち受けタイマ１３に供給する。待ち受けタイマ１３は待ち受けクロックによって動作する。この待ち受けタイマ１３は、起動信号を生成してメインクロック発生器１１に供給すると共に、割込信号を生成してＣＰＵ１０に供給することにより、待ち受け状態に入る前後の動作を制御する。
【０００５】
以上の構成において、従来の携帯電話の制御装置の動作を説明する。ＣＰＵ１０は、待ち受け状態に入る前に、待ち受けタイマ１３に対して待ち受けタイマ起動命令及びメインクロック停止命令を、待ち受け時間を指定して発行する。これにより、待ち受けタイマ１３は、メインクロック発生器１１からのメインクロックの発生を停止させる。その結果、ＣＰＵ１０はスリープモード入り、メインカウンタ１４のカウントアップは停止される。
【０００６】
この状態で推移して指定された待ち受け時間が経過すると、待ち受けタイマ１３は、メインクロック発生器１１に起動信号を供給してメインクロックを再開させると共に、ＣＰＵ１０に割込信号を供給してＣＰＵ１０の動作を開始させる。これにより、メインカウンタ１４のカウントアップも再開され、ＣＰＵ１０は、このメインカウンタ１４の内容に従って基地局との通信を行う。以上の動作により、待ち受け状態ではメインクロックが停止されるので電池の消耗を抑えることができる。なお、原出願の審査において特許文献１などが参照された。
【特許文献１】特開平１１−１８３６６１号公報
【発明の開示】
【発明が解決しようとする課題】
【０００７】
従来の携帯電話の制御装置は、上記のように構成されているので、メインカウンタの内容は待ち受け前後で不連続になる。ところで、従来の携帯電話で採用されている周波数分割多重アクセス（ＦＤＭＡ；Frequency division multiple access）、時間分割多重アクセス（ＴＤＭＡ；Time division multiple access）方式では、基地局からの電波の有無によって待ち受け状態から通常状態に戻ることができるので、メインカウンタの内容が不連続になっても問題はない。
【０００８】
また、域符号分割多重アクセス（ＣＤＭＡ；Code division multiple access）方式の携帯電話では、メインカウンタの待ち受け前後での連続性が要求されるが、メインクロックの周波数が低くて待ち受けクロックの周波数に近いため、数クロック分をサーチするだけで、メインカウンタの内容の連続性を維持するような修正が可能である。
【０００９】
しかしながら、広帯域符号分割多重アクセス（Ｗ−ＣＤＭＡ；Wide band - Code division multiple access）では、メインクロックの周波数は待ち受けクロックの周波数に比べて相当に高いのでメインカウンタの内容の連続性を維持するような修正は不可能である。しかも、Ｗ−ＣＤＭＡ方式では、その特性上、メインカウンタの値が１クロックでもずれると通信できなくなる。従って、Ｗ−ＣＤＭＡ方式では、待ち受け時にメインクロックを停止しないか、待ち受け後に基地局と通信同期を取り直すしかない。
【００１０】
待ち受け時にメインクロックを停止しないとすると、待ち受け時の消費電力がメインクロックを停止する場合に比べ、数十倍も大きくなる。また、待ち受け後に基地局と通信同期を取り直すとすると、待ち受け後の処理時間が１０倍以上も必要になり、その分だけ消費電力も増える。
【００１１】
本発明は、上述した問題を解消するためになされたものであり、その目的は、消費電力を抑えることができ、しかも待ち受け後の処理時間を減らすことのできる携帯電話の制御装置及び制御方法を提供することにある。 
【課題を解決するための手段】
【００１２】
上記目的を達成するために、本発明の第１の態様に係る携帯電話の制御装置は第１のクロックを発生する第１クロック発生器と、前記第１のクロックと周期の異なる第２のクロックを発生する第２クロック発生器と、前記第１のクロックを受けて動作する第１カウンタと、前記第２のクロックを受けて動作する第２カウンタとを有し、前記第１カウンタの停止及び再開は、前記第２カウンタからの制御信号に応答して行われることを特徴とする。
【００１３】
この第１の態様に係る携帯電話の制御装置においては、前記第１カウンタのカウンタ動作が停止している期間に前記第２のカウンタがカウンタ動作を行うように構成できる。
【００１４】
この第１の態様に係る携帯電話の制御装置においては、更に処理装置を有し、前記処理装置は、前記第１カウンタの停止期間の前記第２カウンタのカウンタ値と、前記第１カウンタの停止時点のカウンタ値とに基づき、前記第１カウンタの再開時点のカウンタ値を設定するように構成できる。また、前記第２カウンタの動作中に前記第１クロックの発生を開始させるように構成しても良い。
【００１５】
また、前記第１カウンタのカウント動作が停止後に前記第１クロックの発生が停止し、前記第１クロックの発生開始後に前記第１カウンタのカウント動作が開始されるように構成しても良い。
【００１６】
上記目的を達成するために、本発明の第１の態様に係る携帯電話の制御回路は第１のクロックを発生する第１クロック発生器と、前記第１のクロックと周期の異なる第２のクロックを発生する第２クロック発生器と、前記第１のクロックを受けて動作する第１カウンタと、前記第２のクロックを受けて動作する第２カウンタとを有し、前記第１カウンタの停止及び再開は、前記第２カウンタからの制御信号に応答して行われることを特徴とする。
【００１７】
この第１の態様に係る携帯電話の制御回路においては、前記第１カウンタのカウンタ動作が停止している期間に前記第２のカウンタがカウンタ動作を行うように構成できる。
【００１８】
この第１の態様に係る携帯電話の制御回路においては、更に処理装置を有し、前記処理装置は、前記第１カウンタの停止期間の前記第２カウンタのカウンタ値と、前記第１カウンタの停止時点のカウンタ値とに基づき、前記第１カウンタの再開時点のカウンタ値を設定するように構成できる。また、前記第２カウンタの動作中に前記第１クロックの発生を開始させるように構成しても良い。
【００１９】
また、前記第１カウンタのカウント動作が停止後に前記第１クロックの発生が停止し、前記第１クロックの発生開始後に前記第１カウンタのカウント動作が開始されるように構成しても良い。
【００２０】
また、本発明は、前記第二のクロックは前記第一のクロックより周期の大きな待ち受けクロックであることを特徴とする制御装置または制御回路を有する携帯電話をも提供する。
【発明の効果】
【００２１】
本発明によれば、消費電力を抑えることができ、しかも待ち受け後の処理時間を減らすことのできる携帯電話の制御装置及び制御方法を提供できる。
【発明を実施するための最良の形態】
【００２２】
以下、本発明の実施の形態を、図面を参照しながら詳細に説明する。
（実施の形態１）
図１は本発明の実施の形態１に係る携帯電話の制御装置の構成を示すブロック図である。この制御装置は、ＣＰＵ１０、メインクロック発生器１１、待ち受けクロック発生器１２、待ち受けタイマ１３、メインカウンタ１４及びクロック精度測定器１５から構成されている。これらの構成要素のうち、ＣＰＵ１０、メインクロック発生器１１、待ち受けタイマ１３、メインカウンタ１４及びクロック精度測定器１５はＣＰＵバス２０によって相互に接続されている。
【００２３】
ＣＰＵ１０は、この携帯電話の制御装置の全体を制御する。このＣＰＵ１０が
行う処理は後に詳述する。
【００２４】
メインクロック発生器１１は、この携帯電話の制御装置の全体を動作させるためのメインクロックを発生する。メインクロックは、図３（Ａ）に示すような、周波数が略４ＭＨｚの矩形波信号である。このメインクロックを発生させるかど うかは、待ち受けタイマ１３から出力される起動信号によって制御される。
【００２５】
図３（Ａ）に示したメインクロックの低レベル（以下、「Ｌレベル」という）が継続する部分はメインクロックの発生が停止されている区間であり、待ち受け時間という。このメインクロック発生器１１で発生されたメインクロックは、ＣＰＵ１０、メインカウンタ１４及びクロック精度測定器１５に供給される。
【００２６】
待ち受けクロック発生器１２は、待ち受け動作を制御するための待ち受けクロックを発生する。待ち受けクロックはリアルタイムクロックとも呼ばれ、図３（Ｂ）に示すように、周波数が略３２ＫＨｚの矩形波信号である。この待ち受けクロックは、メインクロックのように停止することはなく、常に発生される。この待ち受けクロック発生器１２で発生された待ち受けクロックは、待ち受けタイマ１３及びクロック精度測定器１５に供給される。
【００２７】
待ち受けタイマ１３は、待ち受けクロック発生器１２からの待ち受けクロックによって動作する。この待ち受けタイマ１３は、起動信号を生成してＣＰＵ１０及びメインクロック発生器１１に供給する。起動信号は、メインクロック発生器１１にメインクロックの発生を開始さるせために使用される。この待ち受けタイマ１３は、ＣＰＵ１０によって指定された時間が経過した時に起動信号を出力する。
【００２８】
また、待ち受けタイマ１３は、制御信号を生成してメインカウンタ１４に供給する。制御信号は、待ち受けタイマ１３がＣＰＵ１０から「待ち受けタイマ起動命令」を受け取ることによりＬレベルにされ、待ち受けタイマ１３のカウントがフルになることにより高レベル（以下、「Ｈレベル」という）にされる。
【００２９】
メインカウンタ１４は、通信の始めから終わりまでの全体の時間（タイミング）を管理するために使用される。ＣＰＵ１０は、このメインカウンタ１４の内容に従って基地局との間で通信を行う。従って、このメインカウンタ１４は、後述するように実際には停止する場合があるが、基地局から見た場合は常に動作しているように見えるように制御される。
【００３０】
このメインカウンタ１４は、制御信号がＬレベルにされることによりホールド状態になり、カウントアップ動作を停止する。このホールド状態では、メインカウンタ１４に新たなカウント値を設定することが可能になる。また、メインカウンタ１４は、制御信号がＨレベルにされることにより、その時点で設定されているカウント値からカウントアップを開始する。
【００３１】
クロック精度測定器１５は、メインクロック発生器１１からのメインクロックの周波数と待ち受けクロック発生器１２からの待ち受けクロックの周波数との比ＲＡＴＩＯを計算する。このクロック精度測定器１５で計算された比ＲＡＴＩＯは、ＣＰＵバス２０を介してＣＰＵ１０に送られる。
【００３２】
次に、以上のように構成される携帯電話の制御装置の動作を、図２に示したフローチャート及び図３に示したタイミングチャートを参照しながら説明する。なお、以下では、通常状態から待ち受け状態に入るスリープ動作及び待ち受け状態から通常状態に戻る再開動作を中心に説明する。
【００３３】
ＣＰＵ１０は、待ち受け状態に入る時は、図２の＜ソフトウェア（Ｓ／Ｗ）シーケンス＞の欄に示すように、待ち受けタイマ１３に対して待ち受けタイマ起動命令を発行する（ステップＳ１０）。この待ち受けタイマ起動命令は、例えば図３（Ｃ）のタイミングＰ２で示すような、待ち受け状態に入る前の適当なタイミングで発行される。また、ＣＰＵ１０は、この待ち受けタイマ起動命令の発行と同時に、メインクロックを再開させるまでの時間を規定するデータを待ち受けタイマ１３に送る。このデータは、待ち受けクロック数ＷＶから構成されている。
【００３４】
待ち受けタイマ１３は、図２の＜待ち受けタイマ＞の欄に示すように、待ち受けタイマ起動命令の発行により起動される（ステップＳ２０）。即ち、待ち受けタイマ起動命令を受け取った待ち受けタイマ１３は、図３（Ｄ）に示すように、その後に到来する待ち受けクロックの先頭、即ち図３（Ｃ）のタイミングＰ３からカウント動作を開始する。
【００３５】
同時に、待ち受けタイマ１３は、図３（Ｆ）に示すように、制御信号をＬレベルにする。これにより、メインカウンタ１４は、図２の＜メインカウンタ＞の欄に示すように、ホールド状態になる（ステップＳ３０）。即ち、メインカウンタ１４は、図３（Ｇ）に示すように、カウントアップ動作を停止し、その時点のカウント値をホールドする。
【００３６】
その後、待ち受けタイマ１３は、スリープ信号（図示せず）を生成してＣＰＵ１０及びメインクロック発生器１１に供給する。これにより、図３（Ａ）に示すように、メインクロックは停止し（ステップＳ２１）、ＣＰＵ１０は、スリープモードに入る（ステップＳ１１）。
【００３７】
上記の状態で推移している中で、待ち受けタイマ１３は、待ち受けタイマ起動命令の発行時に送られてきた待ち受けクロック数ＷＶをカウントしたことを検知すると、図３（Ｅ）に示すように、起動信号をアクティブ（Ｈレベル）にしてＣＰＵ１０及びメインクロック発生器１１に送る。これにより、メインクロック発生器１１は、図３（Ａ）に示すように、メインクロックの発生を再開する（ステップＳ２２）。また、ＣＰＵ１０のスリープモードは、図３に示したタイミングＰ４で解除される（ステップＳ１２）。これにより、ＣＰＵ１０は動作を再開する。
【００３８】
次いで、動作を再開したＣＰＵ１０は、図３（Ｃ）のタイミングＰ５で、メインカウンタ１４に保持されているカウント値を読み出す（ステップＳ１３）。即ち、メインカウンタ１４は、その時点で保持しているカウント値をＣＰＵバス２０を経由してＣＰＵ１０に送る（ステップＳ３１）。 
次いで、ＣＰＵ１０は、新カウンタ値ＲＶを計算する（ステップＳ１４）。新カウンタ値ＲＶは、算式「ＲＶ＝ＨＶ＋ＷＶ×ＲＡＴＩＯ」に従って求められる。ここで、ＨＶはメインカウンタ１４に保持されている値、ＷＶはメインカウンタ１４を止めている間に発生した待ち受けクロックの数、ＲＡＴＩＯは予めクロック精度測定器１５で測定されたメインクロックの周波数と待ち受けクロックの周波数との比である。比ＲＡＴＩＯの計算は、例えば図３のタイミングＰ１で行われる。上記「ＷＶ×ＲＡＴＩＯ」の計算により、メインカウンタ１４を止めていた間のメインクロックの数が求められる。
【００３９】
次いで、ＣＰＵ１０は、図３（Ｃ）のタイミングＰ６で、算出された新カウンタ値ＲＶをメインカウンタ１４に設定する（ステップＳ１５）。これにより、新カウンタ値ＲＶが、メインカウンタ１４に設定される（ステップＳ３２）。
【００４０】
その後、待ち受けタイマ１３は、待ち受けタイマ１３がフルになると、制御信号をＨレベルにし、メインカウンタ１４に再開を指示する（ステップＳ２３）。これにより、メインカウンタ１４のカウントアップ動作が再開される（ステップＳ３３）。この時点におけるメインカウンタ１４の内容は、メインクロックの発生が停止されなかったとした場合にメインカウンタ１４でカウントされたであろうカウント値と一致する。従って、以後の処理では、メインクロックが連続して出力されてメインカウンタ１４はカウントを継続していたものとして取り扱われる。
【００４１】
なお、上述したクロック精度測定器１５によるメインクロックの周波数と待ち受けクロックの周波数との比ＲＡＴＩＯの測定は、携帯電話に内蔵される温度検出器及び電圧検出器（何れも図示しない）により温度及び電圧がそれぞれ変化したことが検出された時に行われる。
【００４２】
メインクロック及び待ち受けクロックの周波数は予め決められているので、これらのクロックの周波数の比ＲＡＴＩＯは一定のはずである。しかし、メインクロック及び待ち受けクロックの周波数は温度や電圧に応じて変動する。仮に、メインクロック及び待ち受けクロックの周波数が変動した状態のままで、上記算式に従って新カウンタ値ＲＶを計算すると、メインクロックの周波数が高いことから、算出された新カウンタ値ＲＶに数クロックの誤差が発生する可能性がある。この誤差が発生すると、メインカウンタ１４の内容の連続性が保たれなくなり、特にＷ−ＣＤＭＡ方式を採用する携帯電話は動作不可能に陥ってしまう。
【００４３】
そこで、本実施の形態１に係る携帯電話の制御装置では、温度及び電圧が変化したことが検出された時にクロック精度測定器１５で比ＲＡＴＩＯを計算して保持しておき、新カウンタ値ＲＶの計算時は保持されている比ＲＡＴＩＯを用いる。その結果、算出された新カウンタ値ＲＶに誤差が発生することがないのでメインカウンタ１４の内容の連続性が保たれ、携帯電話は正常な動作を継続できる。
【００４４】
以上説明したように、この実施の形態１に係る携帯電話の制御装置によれば、待ち受け状態でメインクロックの発生を停止してもメインカウンタの連続性は維持されるのでＷ−ＣＤＭＡ方式を採用する携帯電話に適用しても消費電力を抑えることができ、しかも、待ち受け状態から出た後に基地局と通信同期を取り直す必要もないので、待ち受け後の処理時間を減らすことができると共に電力消費を抑えることができる。
【００４５】
（実施の形態２）
本発明の実施の形態２は、２系統のメインクロックを有する携帯電話の制御装置である。
【００４６】
図４は、本発明の実施の形態２に係る携帯電話の制御装置の構成を示すブロック図である。この制御装置は、第１ＣＰＵ１０ａ、第１メインクロック発生器１１ａ、待ち受けクロック発生器１２、待ち受けタイマ１３、第１メインカウンタ１４ａ、第１クロック精度測定器１５ａ、第２ＣＰＵ１０ｂ、第２メインクロック発生器１１ｂ、第２メインカウンタ１４ｂ及び第２クロック精度測定器１５ｂから構成されている。
【００４７】
これらの構成要素のうち、第１ＣＰＵ１０ａ、第１メインクロック発生器１１ａ、第１待ち受けタイマ１３ａ、第１メインカウンタ１４ａ及び第１クロック精度測定器１５ａは第１ＣＰＵバス２０ａによって相互に接続されている。また、第２ＣＰＵ１０ｂ、第２メインクロック発生器１１ｂ、第２待ち受けタイマ１３ｂ、第２メインカウンタ１４ｂ及び第２クロック精度測定器１５ｂは第２ＣＰＵバス２０ｂによって相互に接続されている。
【００４８】
第１ＣＰＵ１０ａ、第１メインクロック発生器１１ａ、待ち受けクロック発生器１２、待ち受けタイマ１３、第１メインカウンタ１４ａ及び第１クロック精度測定器１５ａから構成される第１系統部分は、実施の形態１のＣＰＵ１０、メインクロック発生器１１、待ち受けクロック発生器１２、待ち受けタイマ１３、メインカウンタ１４及び第１クロック精度測定器１５にそれぞれ対応し、機能及び動作も実施の形態１のそれと同じである。
【００４９】
また、第２ＣＰＵ１０ｂ、第２メインクロック発生器１１ｂ、待ち受けクロック発生器１２、待ち受けタイマ１３、第２メインカウンタ１４ｂ及び第２クロック精度測定器１５ｂから構成される第２系統部分は、実施の形態１のＣＰＵ１０、メインクロック発生器１１、待ち受けクロック発生器１２、待ち受けタイマ１３、メインカウンタ１４及び第１クロック精度測定器１５にそれぞれ対応し、機能及び動作も実施の形態１のそれと同じである。
【００５０】
この実施の形態２に係る携帯電話の制御装置によれば、２種類のメインクロックの周波数に対応できるので、より汎用性が広がるという利点がある。なお、メインクロックは、２系統に限らず、３系統以上であってもよい。この場合、ＣＰＵ、メインクロック発生器、メインカウンタ及びクロック精度測定器のセットを系統の数に合わせて追加することにより多系統の携帯電話の制御装置を構成できる。 
【図面の簡単な説明】
【００５１】
【図１】本発明の実施の形態１に係る携帯電話の制御装置の構成を示すブロック図である。
【図２】図１に示した携帯電話の制御装置の動作を説明するためのフローチャートである。
【図３】図１に示した携帯電話の制御装置の動作を説明するためのタイミングチャートである。
【図４】本発明の実施の形態２に係る携帯電話の制御装置の構成を示すブロック図である。
【図５】従来の携帯電話の制御装置を説明するための図である。
【符号の説明】
【００５２】
１０  ＣＰＵ
１１  メインクロック発生器
１２  待ち受けクロック発生器
１３  待ち受けタイマ
１４  メインカウンタ
１５  クロック精度測定器 
【図１】
2005045832.tif 000003
【図２】
2005045832.tif 000004
【図３】
2005045832.tif 000005
【図４】
2005045832.tif 000006
【図５】
2005045832.tif 000007